(57)【要約】本発明は、ＭＡＭＭＯＳを用いて読出し・書込みをする方法であって、磁区を検出するために、温度分布の先端ではなくて、分布の端を利用する。端を利用することで、磁区の存在を単に検出するのではなくて、磁区の位置を検出可能となる。つまり、データを記録するのに磁区の位置が用いられる。これらの位置を直前の磁区に対して測定することで、精度はさらに改善される。その新たな方法は、磁区位置検出式磁区拡大再生方式(ＤＰＤ−ＭＡＭＭＯＳ)と称される。ＤＰＤ−ＭＡＭＭＯＳでは、磁区の存在ではなく磁区の位置を用いて、情報がＭＡＭＭＯＳ媒体にエンコードされる。この方法では、媒体に記録された各磁区は、数ビット又はバイトの情報を含むことできる。情報の読出・書込方法が開示される。【特許請求の範囲】
【請求項１】
記録層及び読出層からなる媒体に情報を記録する方法であって、
その２つの層の磁気特性は、記録層のデータによって生成される磁界が、読出層の磁化方向を制御するのに用いられるように選択されており、
記録層におけるポイントの位置に基づいて、記録層上のポイントを選択する工程と、
選択されたポイントで記録層の磁化方向を変更する工程とを含む方法。
【請求項２】
記録層上のポイントの位置は、さらに、データが記録されるエンコードスキームに基づいて選択される、請求項１に記載の方法。
【請求項３】
近接効果を最小にするようにポイントは選択される、請求項３に記載の方法。
【請求項４】
ＭＡＭＭＯＳタイプの記録媒体に情報を記録する方法であって、
磁区の位置が記録情報を表すように、磁区を記録する工程を含む方法。
【請求項５】
近接効果を最小にするように、磁区は記録される、請求項４に記載の方法。
【請求項６】
ＭＡＭＭＯＳタイプの記録媒体に情報を記録する方法であって、
磁区の位置の違いが記録される情報を表すように、磁区を記録する工程を含む方法。
【請求項７】
近接効果を最小にするように、磁区は記録される、請求項６に記載の方法。        
【請求項８】
ＭＡＭＭＯＳタイプの記録媒体に情報を書き込む方法であって、
先に書き込まれた磁区の位置に基づいて、書き込まれる磁区の位置を選択する改善がされた方法。
【請求項９】
近接効果を最小にするように、位置は選択される、請求項８に記載の方法。
【請求項１０】
記録層及び読出層からなる媒体に情報を書き込む方法であって、
その２つの層の磁気特性は、記録層のデータによって生成される磁界が、読出層の磁化方向を制御するのに用いられるように選択されており、
記録層におけるポイントの位置に基づいて、記録層上のポイントを選択する工程と、
選択したポイントを加熱する工程と、
媒体に外部磁界を加えて、選択されたポイントにて記録層の磁化方向を変更する工程とを含む方法。
【請求項１１】
近接効果を最小にするように、ポイントは選択される、請求項１０に記載の方法。
【請求項１２】
記録層及び読出層からなる媒体から情報を読み出す方法であって、
その２つの層の磁気特性は、記録層のデータによって生成される磁界が、読出層の磁化方向を制御するのに用いられるように選択されており、
レーザを用いて、媒体の選択的な加熱位置に向かって媒体を走査する工程と、
媒体に外部磁界を加える工程と、
読出層の磁化方向が記録層の磁区の磁化方向になり始める時を検出する工程とを含む方法。
【請求項１３】
検出した磁区を用いて外部磁界を加える工程をさらに含む、請求項１２に記載の方法。
【請求項１４】
ＭＡＭＭＯＳタイプの記録媒体から情報を読み出す方法であって、
読出層の保磁力分布と、記録層からの磁界分布との衝突を用いて、記録層における磁区の位置を決定する改善がされた方法。
【請求項１５】
ＭＡＭＭＯＳタイプの記録媒体から情報を読み出す方法であって、
読出層の保磁力分布を用いて、記録層における磁区の位置を検出する改善がされた方法。
【請求項１６】
ＭＡＭＭＯＳタイプの記録媒体から情報を読み出す方法であって、
媒体をレーザで走査する工程と、
磁区が配置される位置にレーザが到達する前に、外部磁界を加える工程と、
媒体における磁区の位置を特定する工程とを含む方法。
【請求項１７】
磁区の位置によって情報が表される、請求項１６に記載の方法。
【請求項１８】
磁区間の距離によって情報が表される、請求項１６に記載の方法。
【請求項１９】
特定された磁区を用いて外部磁界を加える工程をさらに含む、請求項１６に記載の方法。
【発明の詳細な説明】
【技術分野】
【０００１】
本発明は、磁区拡大再生方式(ＭＡＭＭＯＳ)に関する。
【背景技術】
【０００２】
磁区拡大再生方式(Magnetic Amplifying Magneto-Optical Systems)(ＭＡＭＭＯＳ)は、日立マクセル社によって提案された比較的新しい光磁気読出技術であって、これを用いることにより、光データ記録密度を、１００Ｇｂ/ｉｎ2に、さらには、より高くできる可能性がある。図１に示すように、媒体は、２つの磁性材料層で構成される。下(記録)層は、情報を記録するために用いられる。上(読出)層は、情報を読み出すために用いられる。ＭＡＭＭＯＳでは、レーザースポットを満たすように、又はある程度満たすように読出層の磁区を拡大することで、光リードバック信号が増幅される。２つの層は、非磁性層を用いて絶縁・分離される。図１は、外部刺激と共に磁気構造を示している。記録層及び読出層の組成は、レーザによって媒体が加熱されると、読出層の保磁力が下がるように選択される。保磁力が十分に大きく低下することで、外部磁界と、記録層の磁区に起因する漏洩磁界との重合せが保磁力に十分打ち勝って、読出層の磁区に核生成が生じる。この方法を用いることで、記録層に磁区があるならば、読出層にて、それを転写及び拡大可能となる。
【０００３】
媒体に書込みをするためには、レーザの焦点を表面に合わせて媒体を加熱して、両方の層の保磁力を局所的に低下させる。その後、外部磁界が加えられると、外部磁界が保磁力に勝る場所において、記録層の磁化は、外部磁界の向きに切り替わる。
【０００４】
読出しの間も同様なレーザが用いられるが、レーザの出力は、記録層を変化させない程度に下げられる。 読出しは、極カー効果を利用して行われる。この効果は、ビームが反射する面の磁化によって、今の場合だと読出層の磁化によって、反射ビームの偏光を変化させる。読出層の特性を適切に調整することで、読出層をマスクとして用いて、レーザースポットよりも小さなビットを記録層から選択できる。
【０００５】
レーザービームが読出層を加熱すると、保磁力が局所的に低下して、レーザの場所にて保磁力は最低になる。先述したように、２つの層の磁気特性は調整されているので、記録層のデータによって生じた磁界に外部磁界が加えられると、重ね合わされた磁界は、最も低いポイントにて、読出層の保磁力よりも若干大きくなる。図２にて、下側の曲線は、トラック中心の下において、読出層の中の磁界をプロットしたものである。トラックは、記録層のデータで生成される。上側の曲線は、同じくトラック中心の下において、レーザービームで加熱した後における読出層の保磁力を示している。
【０００６】
図３Ａ乃至３Ｃは、ＭＡＭＭＯＳによるデータ読出過程中の時間において、保磁力分布と、外部磁界と漏洩磁界の和とを連続的なポイントでプロットしたものである。データを読み出すために、記録層に記録されているデータが受け渡される周波数で、外部磁界が加えられる。つまり、保磁力分布が記録層のビットを横切って移動する際に、レーザの位置にて、外部磁界全体は向きを反転させる。レーザー出力と外部磁界とが調節されて、記録層に磁区がある場合には、外部磁界と、記録層の漏洩磁界との和によって、磁区の核生成が読出層にて起こる。記録層に磁区がない場合には、これらの磁界は不十分であって、読出層で磁区の核生成は起こらない。典型的なＭＡＭＭＯＳでは、記録層の各磁区は、１ビットのデータを表現する。
【０００７】
図３Ａでは、媒体は、磁区のない場所にて記録層の情報を探索されている。図では、外部磁界は、既にビット場所にて上向きに切り替えられている。磁区がない場合には、２つの曲線は重ならないので、読出層にて核生成は行われず、読出信号に変化はない。図３Ｂに示すように、この場所が探索された後、レーザが次のビット場所に向かって移動すると、外部磁界は、反転即ちオフにされる。レーザが次のビット場所に到着すると、図３Ｃに示すように、外部磁界は再度オンにされて、磁区が検査される。この場合、記録層には磁区がある。図に示すように、２つの曲線は重なり合って、外部磁界と漏洩磁界の和が読出層の保磁力より大きい領域にて、読出層の磁区の核生成が起こる。
【０００８】
ＭＡＭＭＯＳの媒体にて磁区の核生成が起こると、磁壁に力が及ぼされて、磁区は直ちに拡大する。磁区は、レーザースポットの殆ど又は全てを満たすほどに拡大して、その結果、読出信号は大きくなる。磁区を通過した後、外部磁界は再度反転し、読出層の磁区が収縮して、読出信号は低下する。記録された磁区がない場合、記録層の磁化方向は読出層と同じであって、読出層で磁区の核生成は起こらずに、ＭＡＭＭＯＳ信号は検出されない。
【０００９】
ＭＡＭＭＯＳの読出信号は本質的にデジタルであって、記録層に存在している磁区がある場合にのみ、生じ得る各ビット場所にて「ハイ」になる。図４は、外部磁界と、記録層に記録されたデータで生じる読出信号とを示している。各ビット場所にて磁界は増加しており、磁区が記録されている度に読出信号はハイになる。
【００１０】
ＭＡＭＭＯＳの分解能の限界は、データが記録された方法に加えて、検出手段として用いられる温度分布の先端の幅で決まる。理想的な場合、システムにノイズはなく、媒体の特性は一定であり、レーザー出力、焦点等の変化はない。その場合、読出しに用いられる先端の大きさは、無限大に小さくできるだろう。実際には、上記の因子の全てが、分解能をどの程度小さくできるかを、つまりシステムの分解能を制限してしまう。さらに、疑似乱数のデータが書き込まれる場合、記録層にて近接する磁区は、記録層の磁区によって生成された読出層における磁界の最大振幅を変化させる。これらの振幅の変化が、検出に必要な温度分布の高さ、そして幅を制限する。
【００１１】
より小さな温度分布を、即ち、より高い分解能を得るためには、レーザー出力をうまく制御すること、レーザースポットを小さくすること、媒体を均一にして焦点を正確にすることが重要である。分解能をさらに増加させるために、研究者は、媒体にヒートシンク層を加えることで、温度分布を急傾斜させることを試みている。これは、ＭＡＭＭＯＳの分解能を幾分増加させるであろう。もう１つの試みは、記録層における磁区の大きさを小さくすることである。これによって、記録層の漏洩磁界の幅を小さくして、記録層にて磁区をさらに離間させることで、近接効果を低減し、システムの容量を増加させる効果が得られる。これらの技術の幾つかを用いて、日立マクセル社は、約１００ｎｍのビット間隔で情報の記録を行った。
【００１２】
ＭＡＭＭＯＳに関して、記録容量を増加させて、レーザー出力及び媒体などの変動に影響を受けないようにする要請がある。
【発明の開示】
【００１３】
本発明の特徴の１つは、磁区を検出するために、温度分布の先端を用いるのではなくて、温度分布の端を用いることである。端を用いることで、磁区の存在を単に検出するのではなく、磁区の位置を検出できる。つまり、磁区の位置がデータの記録に使用される。これらの位置を直前の磁区に対して測定することで、更なる精度が得られる。その新しいスキームは、磁区位置検出式ＭＡＭＭＯＳ(ＤＰＤ−ＭＡＭＭＯＳ)と呼ばれる。ＤＰＤ−ＭＡＭＭＯＳでは、磁区の存在ではなく、磁区の位置を用いた方式で、ＭＡＭＭＯＳ媒体に情報がエンコードされる。このような方法で媒体に記録された各磁区は、数ビット、場合によっては数バイトの情報を含み得る。その技術には、主として、現在の技術の書込及び読出方法の変更が必要となる。
【００１４】
温度分布のピークではなく温度分布の端を検出に用いるので、ＤＰＤ−ＭＡＭＭＯＳは、記録密度をより高めて、パワーマージンをより広くし、媒体の特性の緩やかな変化に抵抗可能である。これらは、従来のＭＡＭＭＯＳにおける課題である。ＤＰＤ−ＭＡＭＭＯＳを実施するには、現在のＭＡＭＭＯＳ構成に必要な変化は最小限度であって、ＤＰＤ−ＭＡＭＭＯＳによって、現在のＭＡＭＭＯＳのクロックリカバリ問題は解消する。それらの利点、利益及びその他の事項は、以下に記載された好ましい実施例の説明から明らかになるであろう。
【発明を実施するための最良の形態】
【００１５】
図５は、ＭＡＭＭＯＳ型媒体(12)にて情報の記録・読出しをする装置(10)の概略図である。ＭＡＭＭＯＳ型媒体(12)は、記録層(13)及び読出層(14)からなっている。記録層(13)は、例えば、テルビウム、鉄及びコバルトの合金からなっている。読出層(14)は、例えば、ガドリニウム、鉄及びコバルトの合金からなっている。その他のタイプの媒体も知られている。例えば、表題が「光磁気記録媒体」である米国特許第６,１４１,２９７号を参照のこと。本明細書で用いるように、用語「ＭＡＭＭＯＳ型媒体」は、記録層即ちレコード層の上(又は下)に、読出層即ち増幅層が配置されている任意の媒体を意味する。ここで、読出層即ち増幅層は、加熱された場合に、記録層即ちレコード層の磁区を転写する特徴を有している。
【００１６】
レーザ(16)はビーム(17)を生成してレンズ(18)のような適当な光学要素を通ってビーム(17)は、媒体(12)上に集められる。レーザ(16)は、所定の波長を有する公知のビーム(17)を生成してよい。媒体(12)は、公知の方法(図示せず)によってレーザービーム(17)に対して移動可能であって、媒体(12)上の様々なポイントにレーザービーム(17)が当たる。その他の熱源が用いられてもよい。
【００１７】
励起源、即ちドライバ(22)によって電圧を印加されて、コイル(20)は外部磁界を発生する。レーザ(16)及び励起源(22)は両方とも、媒体の移動手段(図示せず)と共に制御用電子回路(24)で制御されて、媒体(12)に対して読出・書込動作が行われる。図５では、媒体(12)に複数の磁区(26)がある。それら磁区の１つである磁区(28)は、符号(30)で示すように、読出層(14)に転写及び拡大される。
【００１８】
当初、媒体(12)にて、記録層の磁化方向は一様であるが、媒体上の位置が選択されて、そこで、データを記録するように磁化方向が変化させられる。データを記録するための１つのスキームが、図６に示されている。データは、磁区(33)に対する磁区(32)の位置として記録即ち表現される。書き込まれる各磁区の長さはＭである。この後に、長さＳのスペースが続く。スペースは、システムのパワーマージンと、保磁力分布について次の磁区とぶつかる部分とを決定する。最後に、データのシンボルが位置情報としてエンコードされて、次の磁区(32)は、スペースＳの後に、幾つかのインクリメントＩがなされて配置される。ここで、Ｉは、各インクリメントの大きさである。図６では、４つの可能な位置があって、つまり、それら４つの可能な場所の中の１つに配置された磁区は、２ビットの情報を含んでいる。例えば、磁区(32)が実線で示す位置にある場合、「００」が記録される。磁区(32)が右側の次位置にある場合、「０１」が記録される。磁区(32)がさらに右側の次位置にある場合、「１１」が記録される。磁区(32)が最後の破線で示す位置にある場合、「１０」が記録される。従って、各磁区の前端は、最後の磁区の先端から、Ｍ＋Ｓ＋(シンボルの値)＊Ｉだけ離れた位置にある。ここで、(シンボルの値)は、整数０、１、２又は３である。
【００１９】
図７に示すように、各磁区(26)は、その前にある磁区の後にあって、記録される情報によって決まる位置にて、記録層に記録されている。従って、それらの位置、即ち距離ｄ１，ｄ２，ｄ３，・・・，ｄｎは、情報に基づいて書込動作にて決定されて、そして、読出動作にて情報を表現する。
【００２０】
データブロックの開始を示すために特殊なマークを用いることができ、その後に較正及びヘッダ情報が続いてもよい。その特殊なマークは、磁区間のスペースであって、ディスクにおけるその他のスペースの２倍大きくしてもよい。この「開始ビット」の後には、タイミング較正に用いられる最小及び最大の間隔である２つの磁区があって、その後、トラック及びブロックを同定するのに用いる一定数のビットが続いてよい。加えて、誤り訂正が含まれてもよい。当該技術分野における通常の知識を有する者は、その他の多くのタイプのスタートブロックと「ヘッダ」とが、本発明の精神及び範囲から逸脱することなく実施されてよいことを認めるであろう。さらに、本発明では、磁区当たり２つのビットに限定されることはなく、その他のタイプのエンコードが実施されてよい。スタートブロックなどの固定位置を参照して磁区の位置が決定されるような、その他の書込スキームが用いられてもよい。
【００２１】
図８を見ると、読出信号を生成するために、レーザービーム(17)は、媒体(12)を走査して、移動する際に読出層(14)を加熱する。読出層(14)の加熱部分では、読出層(14)の非加熱部分よりも保磁力Ｈｃが低く、読出層のＨｃの低点は、レーザービーム(17)と共に媒体(12)を「走査」する。レーザービーム(17)が媒体(12)を走査している間、レーザービーム(17)が各磁区(26)を通り過ぎる前に、外部磁界がコイル(20)によって生成されて立ち上がる。あるいは、図６に示すように、磁区(32)が占有可能な最初の位置で、又はその位置の前で外部磁界が立ち上がって、可能な全ての位置が走査されるまで、又は磁区が配置されるまで、外部磁界は立ち上がったままにされる。レーザービーム(17)が各磁区(26)を通過する際、外部磁界を加えた漏洩磁界が十分に大きくて、読出層(14)の保磁力を超えていると、核生成が起こる。それは、保磁力分布と、漏洩磁界と外部磁界の重合せとの「衝突」として考えられてもよい。図８の円(36)は、衝突直前の瞬間を示している。衝突時には、読出層(14)の磁化方向は、磁区(26)があると変化して、下に横たわっている記録層(13)の磁化方向と同じになる。核生成後、拡大過程が始まって、読出信号が増加する。
【００２２】
図９Ａから９Ｄは、図８と共に先に説明した分布と信号とを個別に示している。ＤＰＤ−ＭＡＭＭＯＳの拡大は、図９Ａに示すようなレーザで誘発された保磁力分布と、図９Ｂに示すような漏洩磁界と外部磁界の重合せとの衝突で誘起される。これら曲線の双方共に上部が平坦であるが、空間分解能を高くするように、曲線の壁又は端は、急激に傾斜していて、より正確に定められている。衝突が起こると、図９Ｄに示す外部磁界は、短い遅延の後に負に切り替わって、読出層の磁区は収縮する。そして、磁区を超えて「安全な」距離を通過した後に、レーザの分布は、正に再度切り替わる。
【００２３】
図９Ａの保磁力分布が図９Ｂの重合せ磁界と衝突すると同時に、図９Ｃの読出信号が立ち上がる。図に示す時点では、媒体に書き込まれた最後の磁区にて、このプロセスがちょうど起こっている。読出信号がまさに増加した様子が見られる。今までに検知された読出信号を見ると、情報は、ピーク間の距離から明確に読み出されている。各ピークの後にて、外部磁界は、所定の時間残っており、その後反転して読出層の磁区を収縮させる。保磁力分布が読出層の磁区から十分に遠く離れて、その磁区を覆うことがなくなると、外部磁界は戻される。
【００２４】
ＤＰＤ−ＭＡＭＭＯＳには、現在のＭＡＭＭＯＳシステムを超える幾つかの利点がある。第１に、それによって、より高い記録密度が得られる可能性がある。最終的な密度は、読出技術の分解能と、記録層の分解能とで決まるだろうが、どのようにこの数値が高くされるかを示すことはできる。ＤＰＤ−ＭＡＭＭＯＳの密度の発想を得るためには、最初に、磁区の間隔を知る必要がある。これは、一般的なＭＡＭＭＯＳシステムを得て、４つのビットから３つを除去して、各磁区の前で外部磁界が増加して衝突を生じさせる場所を設けることで推測できる。４つのビットから３つのビットが除去されるならば、４つの位置の１つに新たな磁区をエンコードすることで、元の密度に戻る。磁区が１００ｎｍであり、間隔が１００ｎｍであるシステムでは、これは、５０ｎｍの形状を区別することに対応しており、その値を得ることは可能である。これ以上であれば、密度はより高くなるだろう。
【００２５】
分解能の問題に加えて、現在のＭＡＭＭＯＳは、レーザー出力及び磁界のマージンが小さいことに苦しんでいる。しかしながら、ＤＰＤ−ＭＡＭＭＯＳは、レーザー出力及び媒体特性の変動から影響を受けない。その新たな技術では、データは、位置に、即ち、磁区間の相対的タイミングに記録されるので、得られる密度(磁区の空間分解能)は、レーザー出力、媒体特性及び焦点の緩やかな変動に影響されない。例えば、レーザー出力が若干増加すると、媒体の温度は増加して、保磁力の曲線(図９Ａ)は下がる。従来のＭＡＭＭＯＳでは、これが原因で検出用の先端領域が大きくなって、分解能が低下し、読出エラーが生じていた。ＤＰＤ−ＭＡＭＭＯＳの場合、これによって、最初の磁区即ちシンボルの検出時間は、若干早くなるだろう。同様に、その後の磁区即ちシンボルも若干早く検出されて、時間差は変化しないであろう。情報はその差に記録されるので、データを読み出す能力は変化しない。
【００２６】
マージンの問題は、近接効果によって増大する。近接効果では、ある磁区から発せられる外部磁界の大きさが、近接する磁区の磁界によって変化する。ＤＰＤ−ＭＡＭＭＯＳを用いることで、磁区がより離れることから、近接効果の問題は低減される。図１０は、一般的なＭＡＭＭＯＳエンコードについて、図１１は、ＤＰＤ−ＭＡＭＭＯＳエンコードについて、同じ大きさの三日月型の記録磁区に関したＺ成分のシミュレーション結果である。図１０のプロットから理解されるように、磁区の漏洩磁界の大きさは一様ではなく、磁区の「近所」にその他の磁区があるか否かによって若干変化する。密度が高くなるほど、磁区がさらに詰められて、この効果はより強くなる。ＤＰＤ−ＭＡＭＭＯＳは、図１１に示すように磁区をさらに離すことで、その問題をある程度解消している。
【００２７】
ＤＰＤ−ＭＡＭＭＯＳのもう１つの利点は、タイミングが検出スキームの一部であって、タイミングリカバリ機構を別個に必要としないことである。現在のＭＡＭＭＯＳ研究において、磁区の配置に外部磁界を同期させるタイミング情報の回復は、今なお探求されている問題である。引用をもって本明細書の一部となるＩｍｍｉｎｋ等による「"Signal Processing for the MAMMOS Channel" MORIS 2002 Conference Digest, Paper We-M2, pages 201-203 (5 May 2002)」を参照のこと。ＤＰＤ−ＭＡＭＭＯＳでは、磁区を読み出して得られる読出信号によって、外部磁界を制御して使用するために必要なタイミング情報が得られる。
【００２８】
最後に、ＤＰＤ−ＭＡＭＭＯＳは、データレートが高い用途について非常に好適であろう。ビットが読まれる度に多くの拡大/収縮があるわけではないので、拡大/収縮の速度と、外部コイルの応答時間とによって課せられる限界は少ない。さらに、ＤＰＤ−ＭＡＭＭＯＳでは、達成できる読出解像度は、保磁力分布の幅ではなく、その険しさによってある程度決定される。媒体の速度が増加すると、媒体における温度分布の形状は変化する。装置がより速いデータレートと速度に至るにつれて、これは有利になる。図１２Ａ及び１２Ｂは、夫々、０.００３ｍ/ｓ及び１０ｍ/ｓの速度におけるＭＯ記録媒体の温度分布の計算結果を示す。媒体の速度が増加するにつれて、分布の幅は若干狭くなって、先端部の傾きはかなり急になる。
【００２９】
本発明は、その好ましい実施例と共に説明されたが、当該技術分野における通常の知識を有する者は、多くの変更及び変形が可能であることを理解するであろう。本発明は、先の説明ではなく、添付の特許請求の範囲によって限定される。
【図面の簡単な説明】
【００３０】
本発明を簡単に理解して、容易に実施するために、本発明は、限定のためではなく図示する目的で、以下の好ましい実施例と共に説明される。
【図１】図１は、ＭＡＭＭＯＳの媒体構造と外部刺激の概略図である。
【図２】図２は、位置に関する図１のシステムの保磁力分布と磁界のグラフである。
【図３】図３Ａ乃至３Ｃは、３つの異なった時間にて、保磁力分布と、漏洩(読出)磁界を加えた外部磁界とを位置の関数として示している。
【図４】図４は、媒体内の情報に対するＭＡＭＭＯＳ信号を示す。
【図５】図５は、本発明に基づいて情報を記録・読出しする装置の概略図である。
【図６】図６は、情報を記録するのに位置情報が用いられる模様を示す。
【図７】図７は、本発明に基づいて記録媒体に記録された情報を示す。
【図８】図８は、本発明に係る保磁力分布と、漏洩磁界を加えた外部磁界とを示す。
【図９】図９Ａ−９Ｄは、本発明に係る読出スキームを示す。
【図１０】図１０は、近接効果を示すグラフである。
【図１１】図１１は、近接効果を示すグラフである。
【図１２】図１２Ａ及びＢは、レーザービームで生成された温度分布の計算結果であって、速度の増加に伴って分布が変化する模様を示している。
【図１】
2005529446.tif 000002
【図２】
2005529446.tif 000003
【図３】
2005529446.tif 000004
【図４】
2005529446.tif 000005
【図５】
2005529446.tif 000006
【図６】
2005529446.tif 000007
【図７】
2005529446.tif 000008
【図８】
2005529446.tif 000009
【図９】
2005529446.tif 000010
【図１０】
2005529446.tif 000011
【図１１】
2005529446.tif 000012
【図１２】
2005529446.tif 000013
【国際調査報告】
2005529446.tif 000014
2005529446.tif 000015